Podtech/llm-jp-corpus-v4-ja_patent huggingface dataset:
(57)【要約】      （修正有）【課題】血管吻合術後の部位の血流を顕微蛍光観察法で観察する際の、作業工程や手間を簡略し、費やす時間を短縮するフィルター基材を提供する。【解決手段】励起フィルター（ａ）と濾過フィルター（ｂ）を一体化する。遮光を兼ねた遮光基板（ｃ）に励起フィルター(ａ)用の穴と濾過フィルター(ｂ)用の穴がある。この穴を励起フィルターと濾過フィルターで覆う。これをフィルター枠に組み込み装置とする。組み込み装置は対物レンズ又はドレープの対物レンズ滅菌カバーに挿入する寸法（縦、横、高さ）である。【選択図】図１
2013050430.tif 000002
【特許請求の範囲】
【請求項１】
励起フィルターと濾過フィルターを１又は２平面に一体配置した顕微鏡蛍光観察用フィルターに関する装置
【発明の詳細な説明】
【技術分野】
【０００１】この発明は、脳神経外科や整形外科等の顕微鏡下手術で使用する。特に、血管吻合術後に吻合部位の血流を確認する為に用いる。血液に注入した蛍光色素に励起光を当て、蛍光発光させ、血管を肉眼または赤外線カメラで視認可能にするところの蛍光フィルターに関するものである。
【背景技術】
【０００２】従来、血管を流れる血液のドップラー音を聴取する。あるいは最近、血流に蛍光色素を注入し、発光蛍光で血管をを観察する手法が普及し始めた。しかし、励起フィルターと濾過フィルターは別個の製品できており、励起光は顕微鏡の光源にガラスフィルターを挿入するか、発光（レーザー）ダイオードの光源装置を別に用意する必要がある。更に工程を加えて、濾過フィルターは顕微鏡の対物レンズ直下、あるいは鏡筒（オプチックスキャリアー）内に挿入する。
【発明の概要】
【課題を解決するための手段】
【０００３】故に、ドプラー方法では、複雑に入り込んだ、どの血故に、ドプラー方法では、複雑に入り込んだ、どの血管の血流音を拾っているかを明確に特定することは難しく、時に間違える。励起フィルターと濾過フィルターを別個の装置（器具）とした蛍光観察法では、装置（器具）の使用準備作業の工程が多くかかり、時間も空費する。このどの方法も装置が大掛かりで装置購入費用も高い。
【課題を解決するための手段】
【０００４】手術顕微鏡の光路の仕組みは、クセノンあるいはハロゲン電球から発した光が対物レンズを透り観察体に落射し、その反射光が再び対物レンズ、中間光学系、接眼レンズを透る。故に、対物レンズの上側か下側、あるいはその下側のドレープの対物レンズ滅菌カバーに、以下の仕様のフィルターを挿入する。つまり、対物レンズ又はドレープの対物レンズ滅菌カバーに挿入できる寸法の遮光を兼ねた基板に励起フィルター用の穴を１個と濾過フィルター用の穴２個を開ける。この穴をガラス製等の励起フィルターと濾過フィルターで覆う。こうしてできたフィルターと遮光の板状部品をフィルター枠に組み込み装置（器具）とする。
【発明の効果】
【０００５】本発明により、吻合した血管を視認して、明確に特定可能であり、かつ吻合部位を血液が良好に通流するか不良かを直ちに判断できる。この装置（器具）は小さく軽いから術者が手指で持ち、その使用操作は単純で顕微鏡の光路に差し入れるだけで、時間的にほんの数分で終了する。更に、装置購入費も小額になる。
【図面の簡単な説明】
【０００６】
【図１】図１は本発明である励起フィルターと濾過フィルターが遮光板に配置されたフィルター部分の平面図である。
【図２】図２は第１図のフィルター部を収納するフィルター枠の平面図と立面の断面図である。
【発明を実施する為の形態】
【０００７】本発明品を対物レンズ部に挿入すると、顕微鏡の照明光は励起フィルターを通過する。すると蛍光色素の励起光となり手術野を照明する。一方、静脈から注入した蛍光色素は血流に乗って、血管の吻合部に至る。蛍光色素はこの励起光を吸収すると蛍光を発光する。この発光蛍光は励起光と共に濾過フィルターを透過すると、発光蛍光と若干のその近傍波長だけに濾過される。この濾過された発光蛍光は中間光学系、接眼レンズを経て観察される。この蛍光が赤外波長の場合は赤外カメラで捕捉され、ビデオモニターで観察する。
【実施例】
【０００８】本発明品を術者又は助手が手で持つか、手術顕微鏡ドレープの対物レンズカバーの枠に吊るす。吻合した血管を顕微鏡の視野の中心あたりに置く。術野は励起光で照明される。患者の静脈に蛍光色素を注入する。蛍光色素が術野に流入すると血管は、発光した蛍光で明るく、色素特有の波長で浮かび上がる。この様子を肉眼あるいは赤外カメラのモニターで観察する。吻合した血管が良好であれば、吻合部位の前も後も同じ明るさで血管が見える。吻合部が不良であれば、吻合部位より前は血管が明るく見えが、部位以後は暗くて観察できないか、僅かに流通していれば、僅かに明るさで観察される。閉塞あるいは不十分な開通と判断すれば、直ちに再吻合手術をする。
【産業上の利用可能性】
【０００９】顕微鏡下手術、とりわけ脳神経外科の脳血管吻合手術において、良好に処置されたか否かの確認作業プロセスは省略できない。短時間に、少ない作業手順で、判断に間違いをが発生させない本発明は、今後の世界で主流になる。又、顕微鏡を製造する光学機械業者にも顕微鏡に本発明の概念を取り組んだ製品の企画製造を促す。
【図１】
2013050430.tif 000003
【図２】
2013050430.tif 000004
(57)【要約】【課題】マイクロフォンなど音を電気信号に変換する装置において、音質を安価な素材を用いて良質なものに改善する。【解決手段】鳥類の羽の中でも真羽と呼ばれる部位の、空気中の振動に対する高い反応性を利用し、マイクロフォンなどの装置の振動体に、鳥の真羽に加えられた音などの振動を、振動板に伝達できるように真羽を接触させ、それにより良質な音質を得る。【選択図】図２
2013046404.tif 000002
【特許請求の範囲】
【請求項１】
鳥の真羽を用い、その真羽の羽柄を振動板に振動が伝わるよう十分に接触させ、羽弁に加えられた振動を、羽軸から羽軸の先端部分である羽柄を通して、振動板に伝え、その振動板の振動を電気信号に変換することを特徴としたマイクロフォン。
【発明の詳細な説明】
【技術分野】
【０００１】  この発明は、マイクロフォンなど、気体や液体、固体などの媒質中の圧力の変化、特に空気中の微細な気圧変化である音波を、電気信号に変換する装置に関する。
【背景技術】
【０００２】  音波を電気信号に変換する装置の多くには、振動板と呼ばれる板状の部位がある。音波は空気中においては気圧の微細な変化として現れ、その微細な気圧の変化が振動であり、それを振動板に当てて振動させ、その振動板の振動を感知し、電気信号に変換する。なおマイクロフォンの方式によっては、振動板は必ずしも板状の物ではなく、材質もさまざまだが、その部位に振動を伝播させた後に、電気信号に変換する点で、その機能は基本的に変わらない。
【発明の概要】
【発明が解決しようとする課題】
【０００３】    しかし今まで振動板に使われていた素材は、電気信号への変換が容易である物を使用することが多く、これらはおおむね音波の変化を微細に感知するために必要な、音波に対する反応性に乏しい。そのため、音波の変化を正確に電気信号に変換する装置の製造には、反応性の乏しさをおぎなうため、技術的に精密な工程や、扱いの難しい部品などを多く必要とした。【０００４】    また近年、マイクロフォンなどの製造に必要な、半導体部品のもととなる金属などの価格高騰により、製造にはより多くの費用を必要とするようになってきている。
【課題を解決するための手段】
【０００５】    本発明は、安価で扱いの容易な素材を用いて、半導体部品の使用する量を減らして製造にかかる費用を少なくするとともに、その素材の音波に対する高い反応性により、より音波の変化を正確に電気信号に変換できる装置を、提供することを目的とする。【０００６】    本発明は鳥の真羽と呼ばれる部位を、振動板の構成要素として利用する。なお鳥類であれば鳥の種類は問わない。また、真羽であればその種類は問わない。【０００７】    鳥の真羽には、例えば音波などの、空気中の振動に対する高い反応性がある。【０００８】    マイクロフォンの振動板に、適当な枚数の真羽を接触させる。これにより、振動板、および電気信号に変換する部位に、扱いの難しい部品を使用せず、また精密な工程を用いなくとも、より微細な音波の変化を感知し、変換することを可能にする。【０００９】    装置の振動板の部分に、真羽の羽柄を、真羽の振動が十分に伝わるように接触させ、羽弁に加えられた空気中の振動を、羽軸から羽柄へ、羽柄から振動板に伝達するようにする。【００１０】    あるいは真羽に加えられた振動を、電気信号へとより直接的に変換できるように、金属など電気を起こす素材を適当な枚数の真羽に付着させ、それを振動板とする。
【発明の効果】
【００１１】    これにより振動板に加えられた音波などの振動が、より正確に電気信号に変換され、電気信号から音へと再変換した際に微細な音の変化をより忠実に再現する装置を、安価に、またより簡単に製造することが出来る。
【図面の簡単な説明】
【００１２】
【図１】真羽の正面図である。
【図２】本発明の例として、圧電素子とカラスの真羽を用いたマイクロフォンの斜視図である。
【第１実施例】
【００１３】  圧電素子（４）の圧電板（５）を振動板とし、カラスの真羽の羽柄（３）を圧電素子（４）の圧電板（５）に接触させ固定し、羽弁（２）に加えられた音波を、羽軸（１）、さらにその先端部分である羽柄（３）を通して圧電板（５）に伝達させ、それを圧電素子（４）を用いて電気信号に変換する。
【第２実施例】
【００１４】  音波のマイクロフォンによる電気信号への変換は、空気中の圧力変化を、ある装置を用いて、電気的エネルギーに変換することを意味する。よって、風力を電気的エネルギーに変換する風力発電機として、本発明を使用することが可能である。本発明は従来多く見られたブレードを用いてタービンを回転させる方式のものに比べ、空気中の圧力差に対する反応性が高く、風力が弱くとも発電可能である。また、小型で安価であり容易に製造可能な点で、総合的な発電効率に優れる。
【符号の説明】
【００１５】１、羽軸
２、羽弁
３、羽柄
４、圧電素子
５、圧電板
【図１】
2013046404.tif 000003
【図２】
2013046404.tif 000004
(57)【要約】【課題】  本願発明は、ガソリンを使用した発電機に代わる自然エネルギーを使用したハイブリッド蓄電システムを提供するものである。【解決手段】  充電装置７０は、太陽光発電と風力発電と商用電源（家庭用電源）から電気の供給を受けてこれをバッテリーに充電するとともに、充電した電気を各種電気機器８０に接続して使用できるようにインバーターを備えることを特徴としたものである。【選択図】  図１
2013046427.tif 000002
【特許請求の範囲】
【請求項１】
太陽光発電、風力発電及び商用電源から電気の供給を受けてこれを充電することを特徴とした蓄電装置。
【発明の詳細な説明】
【技術分野】
【０００１】
本願発明は、太陽光発電・風力発電・商用電源から電気の供給を受けてこれを充電する充電装置に関するものである。
【背景技術】
【０００２】
本願発明者は、これまでに夜間の作業・工事やイベントなどで照明装置として使用される「投光機」を発明している（特許文献１）。特許文献１に開示された投光機１０は、車両２０の上（屋根）に設けられたソーラーパネル４０と、前記ソーラーパネルから発電された電気の充電先を制御するためのコントローラー５０と、前記電気を投光機１０のバッテリー１１或いは車両２０のバッテリー２１に蓄電するための充電器６０とを備えるものである。
【先行技術文献】
【特許文献】
【０００３】
【特許文献１】特開２０１０−２５７８４９号公報
【発明の概要】
【発明が解決しようとする課題】
【０００４】
これに対して、本願発明は、「投光機」としてだけでなく、各種作業・工事やイベントなどの電源として使用できる「充電装置」を提供するものである。
【課題を解決するための手段】
【０００５】
具体的に本願発明は、ソーラーパネルから電気の供給を受けるだけでなく、風力発電および商用電源の３つの方法から電気の供給を受けてこれを充電することのできる充電装置である。
【発明の効果】
【０００６】
本願発明によれば、以下のような効果を有する。
（１）太陽光発電・風力発電・商用電源から電気の供給を受ける充電装置であるため、従来のガソリンを使用した発電機と比べて「騒音ゼロ」「振動ゼロ」「排気ガスゼロ」「燃料代ゼロ」（太陽光発電・風力発電使用時）といった極めて環境に優しい充電装置を提供できる。
（２）シンプルな設計のために組立・充電は差し込むだけで簡単であり、充電装置の移動も極めて容易である（タイヤ式を採用することで移動が容易になるとともに、ソーラーパネルや風車の移動も容易である）。
（３）太陽光や風で充電できるため、突然の災害や長時間停電時に威力を発揮する。
（４）排気ガスが出ないので（一酸化炭素中毒の心配がない）、室内や地下でも使用可能である。
【図面の簡単な説明】
【０００７】
【図１】本願発明の実施形態を示す説明図。
【発明を実施するための形態】
【０００８】
本願発明の実施形態を図面に基づいて説明する。
図１は、本願発明の実施形態を示す説明図である。
図１に示す充電装置７０は、太陽光発電と風力発電と商用電源（家庭用電源）から電気の供給を受けてこれをバッテリーに充電するとともに、充電した電気を各種電気機器８０に接続して使用できるようにインバーターを備えることを特徴としたものである。
【０００９】
ここで、図示省略するが、バッテリーにコントローラーを接続しても良い。このコントローラーはバッテリーの過充電や過放電を防止するために、バッテリーの電圧を監視しながら太陽光発電や風力発電からの電流の切断・再充電を自動で行うためのものである。
【００１０】
上記する充電装置７０は、日差しが出ている場合には太陽光発電が使用でき、風がある場合には風力発電が使用でき、自然エネルギー（太陽光発電及び風力発電）が使用できない場合には商用電源（家庭用電源）が使用できるので、３つの方法のうちいずれかを使用して必ず充電を行うことができるメリットがある。また、自然エネルギー（太陽光発電及び風力発電）と商用電源（家庭用電源）が使用できる一体型で移動可能なこれまでにない斬新な蓄電装置である。
【産業上の利用可能性】
【００１１】
本願発明は、ガソリンを使用した発電機に代わる自然エネルギーを使用したハイブリッド蓄電システムとして広く利用できるものである。
【符号の説明】
【００１２】
７０  充電装置
８０  電気機器
【図１】
2013046427.tif 000003